(57)【要約】【課題】ドーム状金属バネを使用する多方向操作スイッチシートにおいて、前記ドーム状金属バネが小型化されても十分対応できるようにするため、前記ドーム状金属バネのドーム部の略中央部を確実にクリックできる構造とすること、またクリック率を向上させて、クリック感触の良い携帯電話機等の電子機器が得られるようにした多方向操作スイッチシート、並びにそれを用いた多方向操作スイッチを提供することにある。【解決手段】多方向操作スイッチの方向キーおよび決定キーに対応して配置された複数のドーム部を有し、かつその表面に接着され樹脂シート層を有するドーム状金属バネ、並びにその上に配置された前記複数のドーム部のほぼ中央部分に対応する位置に、下向きの凸部が設けられかつその周縁部で、前記シート層と両面接着剤付プラスチックシートを介して接着された金属薄板部材とから構成された多方向操作スイッチシートとすることによって、解決される。【選択図】        図１
2004311156.tif 000002
【特許請求の範囲】
【請求項１】
多方向操作スイッチの方向キーおよび決定キーに対応して配置された複数のドーム部を有し、かつその表面に接着された樹脂シート層を有するドーム状金属バネ、並びにその上に配置された前記複数のドーム部のほぼ中央部分に対応する位置に、下向きの凸部が設けられかつその周縁部で、前記シート層と両面接着剤付プラスチックシートを介して接着された金属薄板部材とから構成されたことを特徴とする、多方向操作スイッチシート。
【請求項２】
前記ドーム状金属バネは略十字形状を有し、その中心部分（前記十字の交点部分）並びに前記十字部分のそれぞれの必要箇所に、ドーム部を有することを特徴とする、請求項１に記載される多方向操作スイッチシート。
【請求項３】
前記金属薄板部材は、略田の字形状であることを特徴とする、請求項１または２に記載の、多方向操作スイッチシート。
【請求項４】
前記略田の字形状の金属薄板部材は、前記ドーム状金属バネと前記略田の字形状の４箇所のコーナー部分のみで、前記両面接着剤付樹脂シートによって接着されていることを特徴とする、請求項３に記載の多方向操作スイッチシート。
【請求項５】
配線基板上の固定接点を介して、表面に樹脂シート層を有する略十字形状のドーム状金属バネが配置され、その上には前記ドーム状金属バネの前記ドーム部のほぼ中央部分に対応して、下向きの凸部が形成された金属薄板部材が前記両面接着剤付プラスチックシートによって接着され、かつ前記凸部の反対側にアクチュエータを配置したことを特徴とする、多方向操作スイッチ。
【発明の詳細な説明】
【０００１】
【発明の属する技術分野】
本発明は、携帯電話等の電子機器に使用される多方向操作スイッチシート、並びに多方向操作スイッチに関するものである。
【０００２】
【従来の技術】
携帯電話機をはじめとする各種電子機器類のオンオフ操作を行う押しボタンスイッチには、ドーム状金属バネが用いられてきた。このようなドーム状金属バネは、スイッチ操作により固定接点と導通させるために、押荷重による変形を多数回に渡って繰り返し受けることになるので、この種ドーム状金属バネには、通常ステンレス製の薄板が用いられている。このようなドーム状金属バネを使用したスイッチシートは、例えば図５に示されるようなものである。すなわち、プリント配線等の基板の固定接点上に、樹脂シートを設けたドーム状金属バネを配置し、その上からアクチュエータでクリックし、回路導体と導通することができるようにしたものである。この種のスイッチシートは、アクチュエータをクリックした際、前記ドーム状金属バネの中心からクリック位置がずれないようにして、操作感触が低下しないように配慮される。そしてこのようなスイッチシートの中でも、方向キー、決定キーを有する多方向操作スイッチシートにおいては、１つのアクチュエータによって十字方向および中央部をクリックできるようになっている。このような多方向操作スイッチシートに関しては、特許文献１の図１、図３、図４や図５に記載される、マルチファンクションキーと称されるものである。
【０００３】
前記特許文献１によれば、このマルチファンクションキー５０は、背の低い略円柱形状であるポリカーボネイト製のキートップ５１とキートップ５１の下面に接着してあるシート状のシリコンゴム製のベース５２と、電話機本体組立体４３の上面のドームスイッチ付のプリント基板５３とからなり、このマルチファンクションキー５０には、下面の中央に誤動作防止用のストッパ凸部５４を有している。そしてこのマルチファンクションキー５０は、４つの方向を選択的に押し付け操作される構成のものとしている。しかしながら、このような構成のマルチファンクションキーは、前述のようにキートップとドームスイッチとのクリック操作が繰り返して行われると、位置ずれ問題が生じクリック感触が悪くなってくる。このような現象は、用いられる機器類が小型化されるほど顕著となっており、この小型化対応を考慮する必要があるが、今だ満足できるものが得られていない。
【０００４】
【特許文献１】
特開平１１−３３１３２９号公報
【０００５】
【発明が解決しようとする課題】
よって本発明が解決しようとする課題は、ドーム状金属バネを使用する多方向操作スイッチシートにおいて、前記ドーム状金属バネが小型化されても十分対応できるようにするため、前記ドーム状金属バネのドーム部の略中央部を確実にクリックできる構造とすること、またクリック率を向上させてクリック感触の良い携帯電話機等の電子機器が得られる多方向操作スイッチシート、並びにそれを用いた多方向操作スイッチを提供することにある。
【０００６】
【課題を解決するための手段】
前記課題の解決は、請求項１に記載されるように、多方向操作スイッチの方向キーおよび決定キーに対応して配置された複数のドーム部を有し、かつその表面に接着された樹脂シート層を有するドーム状金属バネ、並びにその上に配置された前記複数のドーム部のほぼ中央部分に対応する位置に、下向きの凸部が設けられかつその周縁部で、前記シート層と両面接着剤付プラスチックシートを介して接着された金属薄板部材とから構成された、多方向操作スイッチシートとすることによって、解決される。
【０００７】
また、請求項２に記載されるように、前記ドーム状金属バネは略十字形状を有し、その中心部分（前記十字の交点部分）並びに前記十字部分のそれぞれの必要箇所にドーム部を有する、請求項１に記載される多方向操作スイッチシートとすることによって、解決される。
【０００８】
また、請求項３に記載されるように、前記金属薄板部材は略田の字形状である、請求項１または２のいずれかに記載の多方向操作スイッチシートとすることによって、解決される。さらに請求項４に記載されるように、前記略田の字形状の金属薄板部材は、前記ドーム状金属バネと前記略田の字形状の４箇所のコーナー部分のみで、前記両面接着剤付樹脂シートによって接着されている、請求項３に記載の多方向操作スイッチシートとすることによって、解決される。
【０００９】
さらに、請求項５に記載されるように、配線基板上の固定接点を介して、表面に樹脂シート層を有する略十字形状のドーム状金属バネが配置され、その上には前記ドーム状金属バネの前記ドーム部のほぼ中央部分に対応して、下向きの凸部が形成された金属薄板部材が、前記両面接着剤付プラスチックシートによって接着され、かつ前記凸部の反対側にアクチュエータを配置した多方向操作スイッチとすることによって、解決される。
【００１０】
【発明の実施の形態】
以下に本発明を詳細に説明する。請求項１に記載される発明は、多方向操作スイッチの方向キーおよび決定キーに対応して配置された複数のドーム部を有し、かつその表面に接着された樹脂シート層を有するドーム状金属バネ、並びにその上に配置された前記複数のドーム部のほぼ中央部分に対応する位置に、下向きの凸部が設けられかつその周縁部で、前記シート層と両面接着剤付プラスチックシートを介して接着された金属薄板部材とから構成された多方向操作スイッチシートとしたので、例えアクチュエータがクリック時に位置ずれを起こしても、前記金属薄板部材の金属薄板の剛性により、前記ドーム状金属バネのドーム部の略中央部がクリックされるようになる。このように、前記ドーム部の略中央部を確実にクリックできるようになるので、クリック率が高くクリック感触の良い携帯電話等の機器類に用いる多方向操作スイッチシートを、提供できることになる。なお、前記ドーム状金属バネの形状としては、後述する十字形状の他に、前記方向キーが三角形の頂点に配置された三角形状のものや八角形の頂点に配置された八角形状等のものがある。
【００１１】
図１を用いて説明すると、前記多方向操作スイッチシート１は、例えばプリント配線基板５の固定接点６上に取り付けられるもので、ポリエチレンテレフタレート等の樹脂シート層４が、接着剤３によって表面に接着されたドーム状金属バネ２と、この前記ドーム状金属バネ２のドーム部１３の略中央部に位置するように、前記ドーム部１３と同数の下側を向いた凸部１０を形成した金属薄板部材９が、両面に接着剤１１を有するプラスチックシート１２を介して接着・配置され、多方向操作スイッチシート１が構成される。前記プラスチックシート１２は、前記樹脂シートと同様の材料が用いられる。また前記ドーム状金属バネ２は、通常ステンレス鋼等からなる金属製の薄板から製造され、必要な数のドーム部１３が形成されている。そして、このような構成の多方向操作スイッチシート上には、前記金属薄板部材９の凸部１０の反対側に、多方向のクリック操作が行えるアクチュエータ７が配置され、前記ドーム状金属バネ２のドーム部１３の略中央部をクリックして、回路導体８と導通する多方向操作スイッチ１４として機能することになる。
【００１２】
詳細に説明すると、前記ドーム状金属バネ２は、その安定性等から通常ステンレス鋼の薄板が使用され、厚さは通常４０〜８０μｍ程度のものとされる。また、その表面に設けられる、例えばポリエチレンテレフタレート（ＰＥＴ）等の樹脂シート層４は、厚さが２５〜１００μｍ程度のもので、接着剤３によって前記ドーム状金属バネ２上に接着される。またその下端部は、前記固定接点６付近で前記配線基板５と接着される。なお、前記接着剤３は特に規定されるものではなく通常使用されているものでよい。また下向きの凸部１０を有する前記金属薄板部材９は、厚さが３０〜１００μｍ程度のステンレス鋼等が使用される。そして前記金属薄板部材９は、両面に接着剤１１を設けたプラスチックシート１２を介して、前記樹脂シート層４と接着・固定される。
【００１３】
このような構成の多方向操作スイッチシート１は、アクチュエータ７が確実に前記ドーム部１３をクリックできると共に、例え位置ずれを起こしてもクリック率が高いクリック感触の良いものとなる。また、確実に前記ドーム状金属バネのドーム部１３をクリックできると、アクチュエータと多方向操作スイッチシートの公差を大きく取れ、コスト削減になり経済的にも有利なものとなる。
【００１４】
さらに前記金属薄板部材９の凸部１０は、その径が１ｍｍ程度で高さが０．２〜１．０ｍｍ程度のものとすることにより、シリコーンゴムやポリカーボネート等からなる前記アクチュエータ７の大きさが、１．５〜２．０ｍｍ程度のものに対しても、クリック感触を良好なものとすることができる。これは、前記アクチュエータ７によるクリックが、前記ドーム状金属バネ２のドーム部１３の中央から例えずれたとしても、前記金属薄板部材９の剛性により前記凸部１０が前記ドーム部１３の略中央部をクリックすることになるので、良好なクリック感覚の機器類が得られることになる。このように、本発明の多方向操作スイッチシート１は、前記ドーム状金属バネ２が小型化されても十分対応できるものである。
【００１５】
さらにまた、請求項２〜４に記載されるような多方向操作スイッチシートとすることによって、より好ましい多方向操作スイッチシートが得られる。すなわち請求項２に記載されるように、前記ドーム状金属バネが略十字形状を有し、その中心部分（前記十字の交点部分）並びに前記十字部分のそれぞれの必要箇所にドーム部を有する多方向操作スイッチシートとすることによって、前記略十字形状のドーム状金属バネは、４方向の方向キー並びに決定キーとして機能することになる。このようなドーム状金属バネも、その安定性等から、厚さ３０〜８０μｍ程度の通常ステンレス鋼等の金属製薄板が使用される。そしてその表面上には、例えば前記ＰＥＴ等の樹脂シート層が、厚さ２５〜１００μｍ程度になるように、接着剤によって接着される。なお、前記接着剤は、特に規定されるものではなく通常使用されているものでよい。このような構成とすることによって、前記ドーム状金属バネのドーム部の径を４ｍｍ以下のものとしても、十分対応できるものとなる。
【００１６】
図２によって説明する。図２は、略十字形状を有するドーム状金属バネ１５の部分のみを、ドーム部側から見た時の概略図である。前記十字形状の中央部分に記載されるドーム部１３１が、前記決定キーとして機能する部分であり、前記十字形状の十字の端部近傍４箇所に記載されるドーム部１３２が、方向キーとして機能する部分である。この略十字形状のドーム状金属バネ１５は、大きさが１０ｍｍ前後のものである。そして前記ドーム状金属バネ１５の前記樹脂シート層４上には、図３に示すような、下向きの凸部１０を有する金属薄板部材９が設けられて、多方向操作スイッチシート１となる。このような多方向操作スイッチシート１は、クリック率が高くより安定したクリック感触のものとなる。また、図１に示すアクチュエータ７によるクリックが、前記ドーム部１３２の略中心から位置ずれを起こしても、前記ドーム状金属バネ１５の略中央部を確実にクリックして回路導体と導通すると共に、クリック率を向上させたクリック感触の良い携帯電話等の小型の機器類が、得られるようになる。
【００１７】
さらに前記金属薄板部材は、請求項３に記載されるように、略田の字形状の構造とし前記ドーム状金属バネ１５と組合わせることによって、前記多方向操作スイッチシート１は、前記ドーム状金属バネが小型化されても十分に対応でき、前記ドーム状金属バネのドーム部の略中央部を確実にクリックでき、またクリック率を向上させクリック感触の良い、携帯電話機等の機器類が得られるようなる。また多方向操作スイッチの場合、ドーム状金属バネが近接して配置されるので、無垢の金属薄板部材では剛性が高くなってクリック感触が低下したり、クリックした以外の近接するドーム状金属バネを一緒に押し込むような場合が生じるが、前記のように金属薄板部材を略田の字状に形成することによって、適度な剛性となるため、クリツク感触が良好な多方向操作スイッチシートが得られる。さらに、前記ドーム状金属バネのドーム状中央部を確実にクリックできるので、アクチュエータと多方向操作スイッチシートの公差を大きく取れ、コスト削減になり経済的にも有利なものとなる。
【００１８】
図３によって説明する。図３は、凸部１０１、１０２が設けられた方向から見た場合の、略田の字形状とされた金属薄板部材１６の概略図である。凸部１０１、１０２が前記十字形状のドーム状金属バネ１５のドーム部１３１、１３２と対応するように配置されている。そして前記凸部と前記ドーム部は、図１に示すように両面に接着剤１１を設けたプラスチックシート１２を介して、前記樹脂シート層４と接着される。このような固定方法により、小スペースでかつ高感度の多方向操作スイッチシートとすることができる。
【００１９】
そして、略田の字形状で下向きに形成された凸部１０１、１０２を有する前記金属薄板部材１６は、通常厚さが３０〜１００μｍ程度のステンレス鋼等から成形される。また前記凸部１０１、１０２は、その径が１ｍｍ程度で高さが０．２ｍｍ程度とすることにより、シリコーンゴムやポリカーボネート等からなる、大きさが１．５〜２．０ｍｍ程度のアクチュエータ７を用いても、クリック感触が良好なものとすることができる。これは、前記アクチュエータ７によるクリックが、前記ドーム状金属バネ１５のドーム部１３１、１３２の中央から例えずれたとしても、前記金属薄板部材の凸部１０１、１０２が、前記ドーム状金属バネ１５の略中央部を確実にクリックするためである。また、このような多方向操作スイッチシートを用いた多方向操作スイッチは、例え位置ずれを起こしてもクリック率が高くクリック感触が良いので、小型化された携帯電話等の機器用として好ましいものとなる。
【００２０】
さらに好ましい多方向操作スイッチシートとしては、請求項４に記載されるように、略田の字形状とした金属薄板部材１６の接着・固定を、前記ドーム状金属バネ１５と前記田の字形状の４箇所のコーナー部分のみで、前記両面接着剤付プラスチックシート１２によって接着されている、多方向操作スイッチシートとすることによって、前記金属薄板部材１６の撓りが良好となりクリック感触がより向上する。具体的には、図３に記載される符号１７で示される略田の字形状の金属薄板部材１６の４箇所のコーナー部分で、前記十字形状のドーム状金属バネ１５と両面接着剤付のプラスチックシート１２を介して、接着・固定するものである。このようにするのは、前記略田の字形状とした金属薄板部材１６の周辺部分の大部分を接着・固定すると、前記金属薄板部材１６の撓りが悪くなりクリック感触が低下するためである。
【００２１】
また請求項５に記載されるように、配線基板上の固定接点を介して、表面に樹脂シート層を有する略十字形状のドーム状金属バネが配置され、その上には前記ドーム状金属バネの前記ドーム部のほぼ中央部分に対応して、下向きの凸部が形成された金属薄板部材が、前記両面接着剤付プラスチックシートによって接着され、かつ前記凸部の反対側にアクチュエータを配置した多方向操作スイッチとすることによって、前記アクチュエータのクリックが、前記ドーム状金属バネのドーム部の中央部から若干ずれても、前記金属薄板部材の凸部が確実に前記ドーム部の中央部をクリックすることになり、クリック率が高くクリック感触が良い携帯電話等のような小型の機器類の多方向操作スイッチとすることができる。さらにまた、例え前記アクチュエータが位置ずれを起こしても、確実に前記ドーム部をクリックできるので、アクチュエータと多方向操作スイッチシートの公差を大きく取れ、コスト削減になり経済的にも有利なものとすることができる。
【００２２】
図面によって説明する。この多方向操作スイッチ１４は、図１の断面形状のもので、配線基板上の固定接点６を介して、表面に樹脂シート層４を有する略十字形状のドーム状金属バネ２が配置され、その上には前記ドーム状金属バネ２の前記ドーム部１３のほぼ中央部分に対応して、下向きの凸部１０が形成された金属薄板部材９が前記両面接着剤付プラスチックシート１２によって接着され、かつ前記凸部１０の反対側にアクチュエータ７を配置した多方向操作スイッチ１とすることによって、前記ドーム状金属バネ２のドーム部１３の略中央部分をクリックして回路導体８と導通した場合に、クリック率が高いクリック感触の良い、携帯電話等の小型の機器類となる。これは、前記ドーム状金属バネ２のほぼ中央部をより確実にクリックできる構成の前記多方向操作スイッチを、用いるためである。
【００２３】
具体的には、前記ドーム状金属バネ２として、図２に示される十字形状のドーム状金属バネ１５と、前記金属薄板部材９として、図３に示される略田の字形状の金属薄板部材１６とを組合わせること、さらには前記略田の字形状とした金属薄板部材１６の接着・固定を、前記略田の字形状のコーナー部１７の４箇所とすることによって、多方向操作スイッチシート１は、前記アクチュエータ７がより正確に前記ドーム状金属バネ１５の略中央部をクリックできると共に、前記金属薄板部材１６の撓りにより、クリック感触に優れた多方向操作スイッチとすることができるためである。
【００２４】
より詳細に説明すると、前述した前記十字形状のドーム状金属バネ１５は、その安定性等から、通常厚さが４０〜８０μｍ程度のステンレス鋼の薄板が使用され、さらにその表面に接着される例えば前記ＰＥＴ等の樹脂シート層は、厚さが２５〜１００μｍ程度のものとされる。そしてこの樹脂シート層の中央部上には、前記ドーム部の略中央部に対応する位置に、下向きに形成された凸部を有する厚さが３０〜１００μｍ程度のステンレス鋼等からなる、略田の字形状とした金属薄板部材１６が設けられる。また前記凸部は、その径が１ｍｍ程度で高さが０．２ｍｍ程度のものとすることにより、シリコーンゴムやポリカーボネート等からなる前記アクチュエータの大きさが１．５〜２．０ｍｍ程度であっても、確実にクリックできクリック感触を良好なものとすることができる。さらには本発明の多方向操作スイッチは、前記ドーム状金属バネが小型化されても、前記金属薄板部材を設けたことにより十分対応できるものとなる。
【００２５】
なお本発明においては、前記ドーム状金属バネとして、金属薄板からなり中央部にドーム部が形成され、かつ前記ドーム部の底部外周部に水平或いは若干上向きに突出する、少なくとも一対の対向する突出部が設けられたドーム状金属バネとすると、このような構造のドーム状金属バネを用いたスイッチシートは、ドーム状金属バネの外径が３〜４ｍｍ程度の小型化のものとしても、前記バネはクリックによる変形により、より大きな歪を受けることがなくなり、クリックによる耐久回数が低下することもなくなる。具体的には、外径が４ｍｍ以下としても、前記Ｐ１荷重が２．０Ｎ以上の打鍵により１００万回以下で破断することがなくなる。また、このようなドーム状金属バネを用いたスイッチシートとすることによって、耐久性にも優れたものとなる。さらに前記突出部は、突出長さが２００μｍ以下で、かつ幅が０．３〜１．０ｍｍの大きさであるドーム状金属バネとすることによって、さらにまた、前記突出部には、配線基板固定接点側に成形加工によるバリが存在しないドーム状金属バネとすることによって、より大きな歪を受けることがなくなり、耐久回数が低下することがない。
【００２６】
【実施例】
以下に実施例を示して、本発明の効果を述べる。
【００２７】
実施例１：以下の多方向操作スイッチを作製し、決定キー（センターキー）並びに方向キー（サイドキー）のクリック率を測定した。本発明の実施例にかかる構造の多方向操作スイッチは、図１に示すような構造のもので、フレキシブルプリント配線基板上に図２に示される十字形状に配置されたドーム状金属バネと、図３に示す略田の字形状の金属薄板部材からなるもので、プレス加工によって成形されたものである。また前記十字形状のドーム状金属バネは、厚さ０．０５ｍｍのステンレス鋼薄板からなり、その表面に厚さ５０μｍのポリエチレンテレフタレートの樹脂シートを、厚さ４０μｍのアクリル系接着剤で接着したものである。そして前記シート上には、厚さ５０μｍのステンレス鋼薄板からなり、前記ドーム状金属バネのドーム部のほぼ中央に対応するように、高さが０．１５ｍｍ、直径１．０ｍｍの下向きの凸部を形成した、略田の字形状の金属薄板部材を４箇所のコーナー部で、厚さ２００μｍの両面に接着剤層を有するポリエチレンテレフタレートからなるプラスチックシートを用いて、接着・固定した。なお、前記十字形状のドーム状金属バネの、ドーム部の高さは約０．２ｍｍである。このような構造の多方向操作スイッチシート上に、径が２ｍｍの大きさのアクチュエータを配置して、多方向操作スイッチとした。
【００２８】
ついでこの多方向操作スイッチを用いて、圧縮荷重測定を行なってクリック率を測定した。前記クリック率の測定は、極大荷重と前記ドーム状金属バネの前記センターキー並びに前記サイドキーが接点と接触したときの荷重を測定し、その値から算出するものである。結果は図４に、○印のグラフで示した。
【００２９】
また比較のために、図５に示す構造のドーム状金属バネを用いて、多方向操作スイッチを作製した。各構成部材の大きさは、前記実施例と全く同様に作製した。なお前記ドーム状金属バネの突起は、高さが０．０２５ｍｍ、径が０．６ｍｍのものである。このような多方向操作スイッチについて、実施例と同様に前記センターキー、並びに前記サイドキーのクリック率を測定した。結果は図４に、●印のグラフで示した。
【００３０】
結果は、図４のグラフから明らかなように、実施例のものは、安定した高クリック率のものであることがわかる。これに対して比較例の多方向操作スイッチは、●印のグラフから明らかなとおり、センターキー並びにサイドキー共にドーム状金属バネの中心からずれてクリックすると、クリック率が大きく変化しクリック感触が悪くなることを示している。より詳細に述べる。実施例の場合は、センターキー並びにサイドキーのいずれの部分においても、その中心から比較的広い範囲において、クリック率が４０％程度で安定していることがわかる。このようなクリック率は、クリック感触が良いとされるものである。これは、前記凸部を設けた略田の字形状とした金属薄板部材の効果が、顕著であることを示すものである。すなわちアクチュエータによるクリックが確実に行われ、クリック感触が好ましい優れたスイッチシート並びにスイッチであることがわかる。これに対して比較例の従来構造のものは、センターキー並びにサイドキー共に中心から距離が離れるほどクリック率が低下しており、これは確実なクリックが行われていないことを示すもので、クリック感触が良くないものとなる。
【００３１】
【発明の効果】
以上説明した通り本発明は、複数のドーム部を有しその表面に接着され樹脂シート層を有するドーム状金属バネ、並びにその上に配置された前記複数のドーム部のほぼ中央部分に対応する位置に、下向きの凸部が設けられかつその周縁部で、前記シート層と両面接着剤付樹脂シートを介して接着された、金属薄板部材とから構成された、多方向操作スイッチシートとすることによって、例えアクチュエータのクリックが位置ずれを起こしても、前記金属薄板部材の金属薄板の剛性により前記ドーム状金属バネの中央部が、確実にクリックされることになる。このように、位置ずれを起こしても前記のような確実なクリックによって、クリック率が高くクリック感触の良い多方向操作スイッチシートが提供できる。具体的には、例え位置ずれを起こしてもクリッリ率が４０％以上であるので、アクチュエータと多方向操作スイッチシートの公差を大きく取れ、コスト削減になり経済的に有利なものとなる。
【００３２】
さらに、前記金属薄板部材の前記凸部の径が１ｍｍ程度で高さが０．２〜１．０ｍｍ程度のものとすることにより、シリコーンゴムやポリカーボネート等からなる前記アクチュエータの大きさが、１．５〜２．０ｍｍ程度のものに対しても、クリック感触を良好なものとすることができる。このように、本発明の多方向操作スイッチシートは、前記ドーム状金属バネ２が小型化されても十分対応でき、クリック率が高いためにクリック感触の良い、携帯電話機等の小型の機器類とすることができる。
【００３３】
また前記ドーム状金属バネは略十字形状を有し、その中心部分（前記十字の交点部分）並びに前記十字部分のそれぞれの必要箇所にドーム部を有する多方向操作スイッチシートとすることによって、前述と同様の効果と併せて、方向キー並びに決定キーとして十字方向或いは十字方向と中心に対して、十分にその機能を発揮するものである。さらに前記金属薄板部材が、略田の字形状である多方向操作スイッチシートとすることによって、クリック率が高くより安定したクリック感触の、多方向操作スイッチシートが得られる。このような多方向操作スイッチシートは、アクチュエータのクリックが位置ずれを起こしても、前記ドーム状金属バネの略中央部を確実にクリックするため、クリック率が高くクリック感触の良い、携帯電話等の小型機器類用の多方向操作スイッチシートとすることができる。
【００３４】
さらに前記略田の字形状の金属薄板部材が、前記ドーム状金属バネと、前記田の字形状の４箇所のコーナー部分のみで前記両面接着剤付プラスチックシートによって接着されている、多方向操作スイッチシートとすることによって、クリック率が高くより安定したクリック感触の多方向操作スイッチシートが得られる。このような多方向操作スイッチシートは、アクチュエータのクリックによって、位置ずれを起こしても、前記ドーム状金属バネの略中央部を確実にクリックし、クリック率も向上させて、クリック感触の良い携帯電話等の小型機器類が得られるようになる。
【００３５】
また前記構造の金属薄板部材を用いることによって、適度な剛性を有することになり、クリツク感触をより向上させることができるので好ましい。さらに、前記田の字形状の金属薄板部材は、撓りが良好となり、クリック感触がより向上する。さらには、前記ドーム状金属バネが小型化されても十分対応できるようになる。そして前述の構成を全て備えた多方向スイッチシートは、効果がより顕著である。
【００３６】
さらに本発明の多方向スイッチは、クリック率が高くクリック感触の良い、携帯電話等の小型機器類用の多方向操作スイッチとして好適である。本発明の前記多方向操作スイッチシートは、前記アクチュエータが正確に前記ドーム状金属バネの略中央部をクリックでき、また前記金属薄板部材の撓りにより、クリック感触にも優れているので、優れた多方向スイッチとなる。さらにアクチュエータの大きさが、１．５〜２．０ｍｍ程度のものでも確実にクリックできるので、前記ドーム状金属バネが小型化されても、十分に対応可能な多方向操作スイッチであり、またクリッリ率が４０％以上であるので、クリック感触が良好なものである。そして全ての前記ドーム状金属バネのドーム部で、同じクリック感覚が得られることになる。
【図面の簡単な説明】
【図１】図１は、本発明の多方向操作スイッチを模式的に示す概略断面図。
【図２】図２は、十字形状のドーム状金属バネ部分を上側から見た概略図面である。
【図３】図３は、略田の字形状の金属薄板部材を下側から見た概略図面である。
【図４】図４は、センターキー並びにサイドキーのクリック率を示すグラフである。
【図５】図５は、従来の多方向操作スイッチの概略断面図である。
【符号の説明】
１    多方向操作スイッチシート
２    ドーム状金属バネ
３、１１    接着剤
４    樹脂シート層
５    配線基板
６    固定接点
７    アクチュエータ
８    回路導体
９    金属薄板部材
１０    凸部
１２    プラスチックシート
１３    ドーム部
１４    多方向操作スイッチ
１５    十字形状のドーム状金属バネ
１６    略田の字形状の金属薄板部材
１７    接着されるコーナー部
１０１、１０２    略田の字形状の金属薄板部材の凸部
１３１、１３２    十字形状のドーム状金属バネ部分のドーム部
【図１】
2004311156.tif 000003
【図２】
2004311156.tif 000004
【図３】
2004311156.tif 000005
【図４】
2004311156.tif 000006
【図５】
2004311156.tif 000007